(57)【要約】【課題】マイナスのイオン性不純物、およびマイナスのイオン性不純物を画素領域の外側で効率よくトラップすることができる液晶装置、および電子機器を提供すること。【解決手段】液晶装置１００において、第１基板１５には、画素領域１０ａの外側に共通電位Ｖcomより高い電位が印加される第１電極９ｐと、共通電位Ｖcomより低い電位が印加される第２電極９ｎとが設けられている。第１電極９ｐおよび第２電極９ｎは、画素領域１０ａの外縁の異なる部分に沿って延在しており、並列していない。また、画素領域１０ａの全ての辺に第１電極９ｐおよび第２電極９ｎの少なくとも一方が設けられている。例えば、第１電極９ｐは、第１辺１０ａ１および第２辺１０ａ２の全体または略全体にわたって延在し、第２電極９ｎは、第３辺１０ａ３および第４辺１０ａ４の全体または略全体にわたって延在している。【選択図】図４
2020064132.tif 000002
【特許請求の範囲】
【請求項１】
第１基板と、
前記第１基板と対向する第２基板と、
前記第１基板と前記第２基板との間に配置された液晶層と、
第１方向および前記第１方向と交差する第２方向に画素が配列された画素領域と、
前記画素領域の両側において、それぞれ前記第１方向に沿って延在し、共通電位より高い電位が印加される第１電極と、
前記画素領域の両側において、それぞれ前記第２方向に沿って延在し、前記共通電位より低い電位が印加される第２電極と、
を備えることを特徴とする液晶装置。
【請求項２】
請求項１に記載の液晶装置において、
前記第１電極は、前記第１方向に配列される画素の全体または略全体に沿って延在し、
前記第２電極は、前記第２方向に配列される画素の全体または略全体に沿って延在していることを特徴とする液晶装置。
【請求項３】
第１基板と、
前記第１基板と対向する第２基板と、
前記第１基板と前記第２基板との間に配置された液晶層と、
第１方向および前記第１方向と交差する第２方向に画素が配列された画素領域と、
前記画素領域の外側において、前記第１方向および前記第２方向に沿って延在し、共通電位より高い電位が印加される第１電極と、
前記画素領域の前記第１電極が設けられた側とは反対側において、前記第１方向および前記第２方向に沿って延在し、前記共通電位より低い電位が印加される第２電極と、
を備えることを特徴とする液晶装置。
【請求項４】
請求項３に記載の液晶装置において、
前記第１電極および前記第２電極は、それぞれ前記第１方向に配列される画素、および前記第２方向に配列される画素の全体または略全体に沿って延在していることを特徴とする液晶装置。
【請求項５】
請求項１または３に記載の液晶装置において、
前記画素領域の隅部の外側から前記第１電極および前記第２電極の少なくとも一方が延在していることを特徴とする液晶装置。
【請求項６】
請求項５に記載の液晶装置において、
前記第１電極および前記第２電極は、前記画素領域の同一の隅部の外側からそれぞれ互いに異なる方向に延在していることを特徴とする液晶装置。
【請求項７】
請求項５に記載の液晶装置において、
前記第１電極および前記第２電極は、前記画素領域の異なる隅部の外側からそれぞれ延在していることを特徴とする液晶装置。
【請求項８】
請求項７に記載の液晶装置において、
前記第１電極は、前記画素領域の隣り合う隅部の外側から延在し、
前記第２電極は、前記画素領域の他の隣り合う隅部の外側から延在していることを特徴とする液晶装置。
【請求項９】
請求項１から８のいずれか一項に記載の液晶装置を有することを特徴とする電子機器。
【発明の詳細な説明】
【技術分野】
【０００１】
本発明は、一対の基板間に液晶層が保持された液晶装置、および電子機器に関するものである。
【背景技術】
【０００２】
液晶装置は、複数の画素電極および第１配向膜が設けられた第１基板と、共通電極および第２配向膜が設けられた第２基板と、第１基板と第２基板とを貼り合わせるシール材とを有しており、第１基板と第２基板との間においてシール材で囲まれた領域内に液晶層が保持されている。かかる液晶装置においては、第２基板の側から光源光を入射させるとともに、画素電極によって液晶分子の姿勢を変えることにより画像を表示する。その際、液晶分子の姿勢が切り換わることに起因して、液晶層に流動が発生する。その結果、液晶層の充填時に混入した不純物やシール材から溶出した不純物が光照射により活性化されて、表示領域の端部で凝集し、画像の焼き付き（シミ）等といった表示品位の低下が発生する。そこで、不純物を表示領域から離間する位置に凝集させて画像の焼き付き等を抑制することが提案されている。
【０００３】
一方、画素領域の外側に、共通電位より高い電位が印加される第１周辺電極と、共通電位より低い電位が印加される第２周辺電極とを並列して配置した構造が提案されている（特許文献１参照）。また、画素領域の４つの辺のうち、３つの辺に対して、共通電位より高い電位が印加される第１電極と、共通電位より低い電位が印加される第２電極とを交互に配置した構造が提案されている（特許文献２参照）。
【先行技術文献】
【特許文献】
【０００４】
【特許文献１】２０１２−８３５１３号公報
【特許文献２】２０１７−２０７６５６号公報
【発明の概要】
【発明が解決しようとする課題】
【０００５】
特許文献１に記載の構成では、例えば、第１周辺電極を第２周辺電極の外側に配置した場合、マイナスのイオン性不純物が第１周辺電極に向かう際、第２周辺電極が障壁となって、第１周辺電極まで到達しにくいという問題点がある。また、特許文献２に記載の構成では、画素領域の４つの辺のうち、第１電極および第２電極が配置されていない辺に向かったイオン性不純物は、第１電極および第２電極によってトラップされず、画素表域内で凝集するという問題点がある。それ故、特許文献１、２に記載の構成では、マイナスのイオン性不純物、およびマイナスのイオン性不純物を画素領域の外側で効率よくトラップすることができないという課題がある。
【課題を解決するための手段】
【０００６】
上記課題を解決するために、本発明に係る液晶装置の一態様は、第１基板と、前記第１基板と対向する第２基板と、前記第１基板と前記第２基板との間に配置された液晶層と、第１方向および前記第１方向と交差する第２方向に画素が配列された画素領域と、前記画素領域の両側において、それぞれ前記第１方向に沿って延在し、共通電位より高い電位が印加される第１電極と、前記画素領域の両側において、それぞれ前記第２方向に沿って延在し、前記共通電位より低い電位が印加される第２電極と、を備えることを特徴とする。
【０００７】
本発明に係る液晶装置の別態様は、第１基板と、前記第１基板と対向する第２基板と、前記第１基板と前記第２基板との間に配置された液晶層と、第１方向および前記第１方向と交差する第２方向に画素が配列された画素領域と、前記画素領域の外側において、前記第１方向および前記第２方向に沿って延在し、共通電位より高い電位が印加される第１電極と、前記画素領域の前記第１電極が設けられた側とは反対側において、前記第１方向および前記第２方向に沿って延在し、前記共通電位より低い電位が印加される第２電極と、を備えることを特徴とする。
【０００８】
本発明を適用した液晶装置は、直視型表示装置や投射型表示装置等の各種電子機器に用いることができる。
【図面の簡単な説明】
【０００９】
【図１】本発明の実施形態１に係る液晶装置の一態様の平面図。
【図２】図１に示す液晶装置のＨ−Ｈ′断面図。
【図３】図２に示す液晶層等の説明図。
【図４】図１に示す液晶装置に設けた周辺電極の説明図。
【図５】図４に示す周辺電極の構成例を示す説明図。
【図６】本発明の実施形態２に係る液晶装置の説明図。
【図７】本発明の実施形態３に係る液晶装置の説明図。
【図８】本発明の実施形態４に係る液晶装置の説明図。
【図９】透過型の液晶装置を用いた投射型表示装置の説明図。
【発明を実施するための形態】
【００１０】
図面を参照して、本発明の実施の形態を説明する。なお、以下の説明で参照する図においては、各層や各部材を図面上で認識可能な程度の大きさとするため、各層や各部材毎に縮尺を異ならしめてある。なお、第１基板に形成される層を説明する際、上層側あるいは表面側とは液晶層が位置する側（第２基板が位置する側）を意味し、下層側とは液晶層が位置する側とは反対側（第２基板が位置する側とは反対側）を意味する。また、第２基板に形成される層を説明する際、上層側あるいは表面側とは液晶層が位置する側（第１基板が位置する側）を意味し、下層側とは液晶層が位置する側とは反対側（第１基板が位置する側とは反対側）を意味する。また、以下の説明では、互いに交差する方向を第１方向および第２方向とし、第１方向にＸを付し、第２方向にＹを付して説明する。
【００１１】
［実施形態１］
（全体構成）
図１は、本発明の実施形態１に係る液晶装置１００の一態様の平面図であり、液晶装置１００を各構成要素と共に第２基板２５の側から見た様子を示してある。図２は、図１に示す液晶装置１００のＨ−Ｈ′断面図である。図３は、図２に示す液晶層５０等の説明図である。図１および図２に示すように、液晶装置１００では、透光性の第１基板１５と透光性の第２基板２５とが所定の隙間を介してシール材１０７によって貼り合わされた液晶パネル１００ｐを有しており、シール材１０７は第２基板２５の外縁に沿うように矩形枠状に設けられている。第１基板１５は素子基板１０の基材であり、第２基板２５は対向基板２０の基材である。
【００１２】
シール材１０７は、光硬化性樹脂や熱硬化性樹脂等からなる接着剤であり、両基板間の距離を所定値とするためのグラスファイバー、あるいはガラスビーズ等のギャップ材１０７ａが配合されている。液晶装置１００において、第１基板１５と第２基板２５との間のうち、シール材１０７によって囲まれた領域内には液晶層５０が配置されている。シール材１０７には、液晶注入口として利用される途切れ部分１０７ｃが形成されており、かかる途切れ部分１０７ｃは、液晶材料の注入後、封止材１０８によって塞がれている。なお、第１基板１５に対してシール材１０７を無端の枠状に形成した後、その内側に液晶層５０を設け、しかる後に第２基板２５をシール材１０７によって第１基板１５と貼り合せてもよい。
【００１３】
本実施形態において、第１基板１５および第２基板２５はいずれも四角形であり、液晶装置１００の略中央には、画素領域１０ａが四角形の領域として設けられている。従って、画素領域１０ａは、外縁に、第１辺１０ａ１と、第１辺１０ａ１と対向する第２辺１０ａ２と、第１辺１０ａ１と交差する第３辺１０ａ３と、第３辺１０ａ３と対向する第４辺１０ａ４とを有している。従って、画素領域１０ａは、第１辺１０ａ１と第３辺１０ａ３との間の第１隅部１０ａ６と、第２辺１０ａ２と第４辺１０ａ４との間の第２隅部１０ａ７と、第１辺１０ａ１と第４辺１０ａ４との間の第３隅部１０ａ８と、第２辺１０ａ２と第３辺１０ａ３との間の第４隅部１０ａ９とを有している。かかる形状に対応して、シール材１０７も略四角形に設けられ、画素領域１０ａの外側には、画素領域１０ａの外縁とシール材１０７との間に四角枠状の外周領域１０ｂが存在する。
【００１４】
第１基板１５には、第１基板１５の一辺に沿ってデータ線駆動回路１０１および複数の端子１０２が形成されており、この一辺に隣接する他の辺に沿って走査線駆動回路１０４が形成されている。端子１０２には、フレキシブル配線基板（図示せず）が接続されており、第１基板１５には、フレキシブル配線基板を介して各種電位や各種信号が入力される。
【００１５】
第１基板１５の一方面１０ｓおよび他方面１０ｔのうち、第２基板２５と対向する一方面１０ｓの側において、画素領域１０ａには、トランジスター（図示せず）、および画素電極９ａを備えたマトリクス状に複数形成されており、かかる画素電極９ａの上層側には配向膜１６（第１配向膜）が形成されている。本形態において、画素領域１０ａでは、画素電極９ａを備えた複数の画素が第１方向Ｘおよび第２方向Ｙに配列されている。
【００１６】
また、第１基板１５の一方面１０ｓには、画素領域１０ａとシール材１０７とに挟まれた外周領域１０ｂに、イオン性不純物をトラップする周辺電極９ｅが形成されている。周辺電極９ｅの詳細な構成は、後述するが、本実施形態において、周辺電極９ｅは画素電極９ａと同一の導電膜によって構成されている。なお、図示を省略するが、外周領域１０ｂには、画素電極９ａと同時形成されたダミー画素電極が形成されることもある。
【００１７】
第２基板２５の一方面２０ｓおよび他方面２０ｔのうち、第１基板１５と対向する一方面２０ｓの側には、共通電位Ｖcomが印加される共通電極２１が形成され、共通電極２１の表面には配向膜２６（第２配向膜）が積層されている。共通電極２１は、第２基板２５の略全面あるいは複数の帯状電極として複数の画素に跨って形成されている。本実施形態において、共通電極２１は、第２基板２５の略全面に形成されている。第２基板２５において、シール材１０７と画素領域１０ａとに挟まれた枠状の外周領域１０ｂには、共通電極２１の下層側に遮光層２９、および保護膜２８が形成されている。本実施形態では、本実施形態において、遮光層２９は、見切り２９ａとして形成されており、遮光層２９の内縁によって表示領域が規定される。本実施形態では、画素領域１０ａが表示領域と一致する態様を示してある。なお、遮光層２９は、隣り合う画素電極９ａにより挟まれた画素間領域に平面視で重なるブラックマトリクス部として形成されることもある。また、第２基板２５と共通電極２１との間には、複数の画素電極９ａと平面視で重なるレンズが構成される場合もある。
【００１８】
液晶装置１００において、シール材１０７より外側には、第２基板２５の一方面２０ｓの側の４つの角に基板間導通用電極部２４ｔが形成されており、第１基板１５の一方面１０ｓの側には、第２基板２５の４つの角（基板間導通用電極部２４ｔ）と対向する位置に基板間導通用電極部６ｔが形成されている。本実施形態において、基板間導通用電極部２４ｔは、共通電極２１の一部からなる。基板間導通用電極部６ｔは、共通電位Ｖcomが印加された定電位配線６ｓに導通しており、定電位配線６ｓは、端子１０２のうち、共通電位印加用の端子１０２ａに導通している。基板間導通用電極部６ｔと基板間導通用電極部２４ｔとの間には、導電粒子を含んだ基板間導通材１０９が配置されており、共通電極２１は、基板間導通用電極部６ｔ、基板間導通材１０９および基板間導通用電極部２４ｔを介して、第１基板１５側に電気的に接続されている。このため、共通電極２１は、第１基板１５の側から共通電位Ｖcomが印加されている。
【００１９】
かかる構成の液晶装置１００において、本実施形態では、画素電極９ａおよび共通電極２１がＩＴＯ（Indium Tin Oxide）膜やＩＺＯ（Indium Zinc Oxide）膜等の透光性導電膜により形成されており、液晶装置１００は透過型の液晶装置である。かかる透過型の液晶装置１００では、図２に矢印Ｌで示すように、第２基板２５の側から入射した光が第１基板１５を透過して出射される間に変調されて画像を表示する。なお、共通電極２１を透光性導電膜により形成し、画素電極９ａをアルミニウム膜等の反射性導電膜により形成する場合もある。かかる構成によれば、反射型の液晶装置１００を構成することができる。反射型の液晶装置１００では、第２基板２５の側から入射した光が第１基板１５で反射して再び第２基板２５から出射される間に変調されて画像を表示する。
【００２０】
液晶装置１００は、モバイルコンピューター、携帯電話機等といった電子機器のカラー表示装置として用いることができ、この場合、第２基板２５あるいは第１基板１５には、カラーフィルター（図示せず）が形成される。また、液晶装置１００では、使用する液晶層５０の種類や配向方向、ノーマリホワイトモード／ノーマリブラックモードの別に応じて、偏光フィルム、位相差フィルム、偏光板等が液晶パネル１００ｐに対して所定の向きに配置される。さらに、液晶装置１００は、後述する投射型表示装置（液晶プロジェクター）において、ＲＧＢ用のライトバルブとして用いることができる。この場合、ＲＧＢ用の各液晶装置１００の各々には、ＲＧＢ色分解用のダイクロイックミラーを介して分解された各色の光が投射光として各々入射されることになるので、カラーフィルターは形成されない。
【００２１】
図３において、配向膜１６、２６は、ＳｉＯX（ｘ＜２）、ＳｉＯ2、ＴｉＯ2、ＭｇＯ、Ａｌ2Ｏ3、Ｉｎ2Ｏ3、Ｓｂ2Ｏ3、Ｔａ2Ｏ5等の斜方蒸着膜からなる柱状構造物（傾斜垂直配向膜／無機配向膜）である。かかる配向膜１６、２６は、配向規制力がアンチパラレルであり、液晶層５０に用いた誘電異方性が負のネマチック液晶化合物を、実線Ｌ１で液晶分子５０ｂを模式的に示すように、第１基板１５に対する法線方向および第２基板２５に対する法線方向から一定の方向（プレチルト方向）に傾いた姿勢に傾斜垂直配向させる。そして、画素電極９ａと共通電極２１との間の電界により液晶分子５０ｂを点線Ｌ２のように傾斜させる。このようにして、液晶装置１００は、ノーマリブラックのＶＡモードの液晶装置として構成されている。
【００２２】
本実施形態では、図１に示すように、配向膜１６、２６は、液晶分子５０ｂに対して第１辺１０ａ１に４５°の角度を成す方位Ｐに傾いたプレチルトを付しており、液晶分子５０ｂは、四角形の画素領域１０ａの４つの隅部のうち、第１隅部１０ａ６と第２隅部１０ａ７とを結ぶ対角線に沿う方向に配向している。なお、液晶分子５０ｂのうち、第１基板１５の表面近くに位置する液晶分子５０ｂは、分子鎖の一方端が第１基板１５の側に保持された状態にあり、第２基板２５の表面近くに位置する液晶分子５０ｂは、分子鎖の他方端が第２基板２５の側に保持された状態にある。
【００２３】
（周辺電極９ｅの構成）
図４は、図１に示す液晶装置１００に設けた周辺電極９ｅの説明図であり、図１に示す構成の要素との位置関係を示すために、図１に示す構成要素のうち、画素領域１０ａ、およびシール材１０７等を示してある。図５は、図４に示す周辺電極９ｅの構成例を示す説明図である。
【００２４】
図２および図３に示すように、本実施形態では、第１基板１５の一方面１０ｓ側には、画素領域１０ａの外側のうち、外周領域１０ｂに周辺電極９ｅが形成されている。本実施形態において、周辺電極９ｅは、画素電極９ａと同時形成された導電膜からなる。ここで、周辺電極９ｅと共通電極２１との間には、所定の電圧が印加される。従って、図３を参照して説明したように、画素電極９ａと共通電極２１との間で液晶層５０に電圧を印加し、液晶分子５０ｂを揺動させると、矢印Ｆ１、Ｆ２で示すように液晶層５０に流動が発生する。その結果、液晶層５０の充填時に混入した不純物やシール材１０７から溶出した不純物が、光源からの光照射により活性化されて、画素領域１０ａの端部に移動する。ここで、画素領域１０ａの外側では、周辺電極９ｅと共通電極２１との間に電圧が印加されている。従って、画素領域１０ａの端部に移動してきたイオン性不純物は、周辺電極９ｅにトラップされるため、画素領域１０ａの内側で凝集しにくい。
【００２５】
ここで、画素領域１０ａの端部に移動してきたイオン性不純物には、マイナスのイオン性不純物と、プラスのイオン性不純物とが含まれていることがあり、一方の極性の電圧を周辺電極９ｅと共通電極２１との間に印加した場合、マイナスのイオン性不純物、およびプラスのイオン性不純物の双方をトラップすることができない。
【００２６】
そこで、本実施形態では、図４に示すように、第１基板１５には、周辺電極９ｅとして、画素領域１０ａの外側で画素領域１０ａの外縁に沿って延在する第１電極９ｐと、画素領域１０ａの外側のうち、第１電極９ｐと異なる位置で画素領域１０ａの外縁に沿って延在する第２電極９ｎとが設けられている。ここで、第１電極９ｐには、共通電位Ｖcomより高い電位が印加され、第２電極９ｎには、共通電位Ｖcomより低い電位が印加される。例えば、共通電位Ｖcomは０Ｖであり、第１電極９ｐに印加される電位は＋５Ｖであり、第２電極９ｎに印加される電圧は−５Ｖである。
【００２７】
かかる周辺電極９ｅ（第１電極９ｐおよび第２電極９ｎ）は、例えば、図５に示すように、画素電極９ａと同様にパターニングされた四角形の領域９ｅ１同士が連結部９ｅ２で繋がった形状になっている。従って、第１電極９ｐおよび第２電極９ｎの各々に端部等に電位を印加すれば、第１電極９ｐの全体、および第２電極９ｎの全体に所定の電位を印加することができる。なお、本実施形態では、画素電極９ａと同一サイズの四角形の領域９ｅ１が１列に並んで周辺電極９ｅを構成しているが、画素電極９ａと同一サイズの四角形の領域９ｅ１が複数列に並んで周辺電極９ｅを構成している態様であってもよい。
【００２８】
図４に示すように、本実施形態では、画素領域１０ａの外側では、画素領域１０ａの両側において、それぞれ第１方向Ｘに沿って延在するように第１電極９ｐが設けられ、画素領域１０ａの両側において、それぞれ第２方向Ｙに沿って延在するように第２電極９ｎが設けられている。より具体的には、画素領域１０ａの第１辺１０ａ１、第２辺１０ａ２、第３辺１０ａ３、および第４辺１０ａ４からなる４つの辺の全てに、第１電極９ｐおよび第２電極９ｎの少なくとも一方が設けられている。例えば、第１電極９ｐは、第１辺１０ａ１および第２辺１０ａ２に沿って設けられ、第２電極９ｎは、第３辺１０ａ３および第４辺１０ａに沿って設けられている。本実施形態において、第１電極９ｐは、第１辺１０ａ１および第２辺１０ａ２の全体または略全体にわたって延在している。また、第２電極９ｎは、第３辺１０ａ３および第４辺１０ａ４の全体または略全体にわたって延在している。従って、第１電極９ｐおよび第２電極９ｎは、それぞれ第１方向Ｘに配列される画素、および第２方向Ｙに配列される画素の全体または略全体に沿って延在している。
【００２９】
このため、画素領域１０ａの第１隅部１０ａ６、第２隅部１０ａ７、第３隅部１０ａ８、および第４隅部１０ａ９の全ての隅部の外側から第１電極９ｐおよび第２電極９ｎの少なくとも一方が延在している。本実施形態において、第１電極９ｐおよび第２電極９ｎは各々、第１隅部１０ａ６、第２隅部１０ａ７、第３隅部１０ａ８、および第４隅部１０ａ９のうち、同一の隅部の外側から互いに異なる方向に延在している。より具体的には、第１隅部１０ａ６の外側からは第１辺１０ａ１に沿って第１電極９ｐが延在し、第１隅部１０ａ６の外側からは第３辺１０ａ３に沿って第２電極９ｎが延在している。第２隅部１０ａ７の外側からは第２辺１０ａ２に沿って第１電極９ｐが延在し、第２隅部１０ａ７の外側からは第４辺１０ａ４に沿って第２電極９ｎが延在している。
【００３０】
（本実施形態の主な効果）
以上説明したように、本実施形態では、第１基板１５には、共通電位Ｖcomより高い電位が印加される第１電極９ｐと、共通電位Ｖcomより低い電位が印加される第２電極９ｎとが設けられている。このため、マイナスのイオン性不純物は、第１電極９ｐにトラップされ、プラスのイオン性不純物は、第２電極９ｎにトラップされる。このため、マイナスのイオン性不純物、およびプラスのイオン性不純物の双方を画素領域１０ａの外側でトラップすることができる。
【００３１】
また、周辺電極９ｅとして、画素領域１０ａの外側で画素領域１０ａの外縁に沿って延在する第１電極９ｐと、画素領域１０ａの外側のうち、第１電極９ｐと異なる位置で画素領域１０ａの外縁に沿って延在する第２電極９ｎとが設けられている。すなわち、第１電極９ｐおよび第２電極９ｎは、画素領域１０ａの外縁の異なる部分に沿って延在しており、並列していない。このため、例えば、第２電極９ｎの外側に第１電極９ｐを並列させた場合と違って、第２電極９ｎが、第１電極９ｐに向かおうとしていたマイナスのイオン性不純物に対する障壁となりにくい。また、第１電極９ｐの外側に第２電極９ｎを並列させた場合と違って、第１電極９ｐが、第２電極９ｎに向かおうとしていたプラスのイオン性不純物に対する障壁となりにくい。それ故、マイナスのイオン性不純物、およびプラスのイオン性不純物の双方を画素領域１０ａの外側で効率よくトラップすることができる。
【００３２】
また、本実施形態では、画素領域１０ａの全ての辺（第１辺１０ａ１、第２辺１０ａ２、第３辺１０ａ３、および第４辺１０ａ４）に第１電極９ｐおよび第２電極９ｎの少なくとも一方が設けられている。また、第１電極９ｐは、第１辺１０ａ１および第２辺１０ａ２の全体または略全体にわたって延在し、第２電極９ｎは、第３辺１０ａ３および第４辺１０ａ４の全体または略全体にわたって延在している。このため、外周領域１０ｂの全周をイオン性不純物のトラップに利用できる。従って、イオン性不純物をトラップできる量が多いので、イオン性不純物が画素領域１０ａにはみ出すことを抑制することができる。それ故、画素領域１０ａにはみ出したイオン性不純物が原因で、画像の品位が低下するという事態が発生しにくい。
【００３３】
また、本実施形態では、液晶分子５０ｂにプレチルトが付された方位Ｐに位置する対角の隅部（第１隅部１０ａ６、および第２隅部１０ａ７）の近くに第１電極９ｐおよび第２電極９ｎの双方が位置する。このため、第１隅部１０ａ６、および第２隅部１０ａ７にイオン性不純物が凝集しやすい傾向があっても、第１隅部１０ａ６、および第２隅部１０ａ７に凝集しようとするマイナスのイオン性不純物、およびプラスのイオン性不純物の双方を画素領域１０ａの外側で効率よくトラップすることができる。
【００３４】
［実施形態２］
図６は、本発明の実施形態２に係る液晶装置１００の説明図であり、図６には、周辺電極９ｅの構成等を示してある。なお、本実施形態および後述する実施形態３の基本的な構成は実施形態１と同様であるため、共通する部分には同一の符号を付してそれらの説明を省略する。
【００３５】
図６に示すように、本実施形態でも、実施形態１と同様、第１基板１５には、周辺電極９ｅとして、画素領域１０ａの外側で画素領域１０ａの外縁に沿って延在する第１電極９ｐと、画素領域１０ａの外側のうち、第１電極９ｐと異なる位置で画素領域１０ａの外縁に沿って延在する第２電極９ｎとが設けられている。第１電極９ｐには、共通電位Ｖcomより高い電位が印加され、第２電極９ｎには、共通電位Ｖcomより低い電位が印加される。
【００３６】
本実施形態では、画素領域１０ａの外側において、第１方向Ｘおよび第２方向Ｙに沿って延在するように第１電極９ｐが設けられ、画素領域１０ａの第１電極９ａが設けられた側とは反対側において、第１方向Ｘおよび第２方向Ｙに沿って延在するように第２電極９ｎが設けられている。より具体的には、本実施形態でも、実施形態１と同様、画素領域１０ａの第１辺１０ａ１、第２辺１０ａ２、第３辺１０ａ３、および第４辺１０ａ４からなる４つの辺の全てに、第１電極９ｐおよび第２電極９ｎの少なくとも一方が設けられている。例えば、第１電極９ｐは、第１辺１０ａ１および第３辺１０ａ３に沿って設けられ、第２電極９ｎは、第２辺１０ａ２および第４辺１０ａ４に沿って設けられている。本実施形態において、第１電極９ｐは、第１辺１０ａ１および第３辺１０ａ３の全体または略全体にわたって延在している。また、第２電極９ｎは、第２辺１０ａ２および第４辺１０ａ４の全体または略全体にわたって延在している。従って、第１電極９ｐおよび第２電極９ｎは、それぞれ第１方向Ｘに配列される画素、および第２方向Ｙに配列される画素の全体または略全体に沿って延在している。
【００３７】
また、画素領域１０ａの隅部の外側から第１電極９ｐ，および第２電極９ｎの少なくとも一方が延在している。また、第１電極９ｐおよび第２電極９ｎは、画素領域１０ａの第１隅部１０ａ６、第２隅部１０ａ７、第３隅部１０ａ８、および第４隅部１０ａ９のうち、異なる隅部の外側から延在している。より具体的には、第１電極９ｐは、第１隅部１０ａ６の外側を通って第１辺１０ａ１および第３辺１０ａ３に沿って延在しており、第１辺１０ａ１に沿って延在する部分と第３辺１０ａ３に沿って延在する部分とは、第１隅部１０ａ６の外側で繋がっている。第２電極９ｎは、第２隅部１０ａ７の外側を通って第２辺１０ａ２および第４辺１０ａ４に沿って延在しており、第２辺１０ａ２に沿って延在する部分と第４辺１０ａ４に沿って延在する部分とは、第２隅部１０ａ７の外側で繋がっている。
【００３８】
その結果、第１電極９ｐおよび第２電極９ｎは各々、第３隅部１０ａ８、および第４隅部１０ａ９では、同一の隅部の外側から互いに異なる方向に延在している。従って、画素領域１０ａの第１隅部１０ａ６、第２隅部１０ａ７、第３隅部１０ａ８、および第４隅部１０ａ９の全ての隅部の外側から第１電極９ｐおよび第２電極９ｎの少なくとも一方が延在している。
【００３９】
このように本実施形態でも、実施形態１と同様、第１基板１５には、共通電位Ｖcomより高い電位が印加される第１電極９ｐと、共通電位Ｖcomより低い電位が印加される第２電極９ｎとが設けられている。このため、マイナスのイオン性不純物は、第１電極９ｐにトラップされ、プラスのイオン性不純物は、第２電極９ｎにトラップされる。このため、マイナスのイオン性不純物、およびプラスのイオン性不純物の双方を画素領域１０ａの外側でトラップすることができる。また、第１電極９ｐおよび第２電極９ｎは、画素領域１０ａの外縁の異なる部分に沿って延在しており、並列していない。このため、マイナスのイオン性不純物、およびプラスのイオン性不純物の双方を画素領域１０ａの外側で効率よくトラップすることができる。
【００４０】
また、本実施形態では、画素領域１０ａの全ての辺（第１辺１０ａ１、第２辺１０ａ２、第３辺１０ａ３、および第４辺１０ａ４）に第１電極９ｐおよび第２電極９ｎの少なくとも一方が設けられている。また、第１電極９ｐは、第１辺１０ａ１および第３辺１０ａ３の全体または略全体にわたって延在し、第２電極９ｎは、第２辺１０ａ２および第４辺１０ａ４の全体または略全体にわたって延在している。このため、外周領域１０ｂの全周をイオン性不純物のトラップに利用できる。従って、イオン性不純物をトラップできる量が多いので、イオン性不純物が画素領域１０ａにはみ出すことを抑制することができる。それ故、画素領域１０ａにはみ出したイオン性不純物が原因で、画像の品位が低下するという事態が発生しにくい。
【００４１】
また、本実施形態では、液晶分子５０ｂにプレチルトが付された方位Ｐに位置する対角の隅部の一方（第１隅部１０ａ６）に第１電極９ｐが位置し、他方（第２隅部１０ａ７）に第２電極９ｎが位置する。このため、第１隅部１０ａ６、および第２隅部１０ａ７にイオン性不純物が凝集しやすい傾向があっても、第１隅部１０ａ６、および第２隅部１０ａ７に凝集しようとするマイナスのイオン性不純物、およびプラスのイオン性不純物の双方を画素領域１０ａの外側で効率よくトラップすることができる。
【００４２】
［実施形態３］
図７は、本発明の実施形態３に係る液晶装置１００の説明図であり、図７には、周辺電極９ｅの構成等を示してある。図７に示すように、本実施形態でも、実施形態１と同様、第１基板１５には、周辺電極９ｅとして、画素領域１０ａの外側で画素領域１０ａの外縁に沿って延在する第１電極９ｐと、画素領域１０ａの外側のうち、第１電極９ｐと異なる位置で画素領域１０ａの外縁に沿って延在する第２電極９ｎとが設けられている。第１電極９ｐには、共通電位Ｖcomより高い電位が印加され、第２電極９ｎには、共通電位Ｖcomより低い電位が印加される。
【００４３】
本実施形態でも、実施形態１と同様、画素領域１０ａの第１辺１０ａ１、第２辺１０ａ２、第３辺１０ａ３、および第４辺１０ａ４からなる４つの辺の全てに、第１電極９ｐおよび第２電極９ｎの少なくとも一方が設けられている。また、画素領域１０ａの第１隅部１０ａ６、第２隅部１０ａ７、第３隅部１０ａ８、および第４隅部１０ａ９の全ての隅部の外側から第１電極９ｐおよび第２電極９ｎの少なくとも一方が延在している。
【００４４】
本実施形態において、第１電極９ｐおよび第２電極９ｎは各々、第１隅部１０ａ６、第２隅部１０ａ７、第３隅部１０ａ８、および第４隅部１０ａ９では、同一の隅部の外側から互いに異なる方向に延在している。
【００４５】
例えば、第１電極９ｐは、第１隅部１０ａ６の外側から第１辺１０ａ１に沿って第１辺１０ａ１の途中まで延在し、第２電極９ｎは、第１隅部１０ａ６の外側から第３辺１０ａ３に沿って第３辺１０ａ３の途中まで延在している。また、第１電極９ｐは、第２隅部１０ａ７の外側から第２辺１０ａ２に沿って第２辺１０ａ２の途中まで延在し、第２電極９ｎは、第２隅部１０ａ７の外側から第４辺１０ａ４に沿って第４辺１０ａ４の途中まで延在している。また、第１電極９ｐは、第３隅部１０ａ８の外側から第４辺１０ａ４に沿って第４辺１０ａ４の途中まで延在し、第２電極９ｎは、第３隅部１０ａ８の外側から第１辺１０ａ１に沿って第１辺１０ａ１の途中まで延在している。また、第１電極９ｐは、第４隅部１０ａ９の外側から第３辺１０ａ３に沿って第３辺１０ａ３の途中まで延在し、第２電極９ｎは、第４隅部１０ａ９の外側から第２辺１０ａ２に沿って第２辺１０ａ２の途中まで延在している。
【００４６】
このように本実施形態でも、実施形態１と同様、第１基板１５には、共通電位Ｖcomより高い電位が印加される第１電極９ｐと、共通電位Ｖcomより低い電位が印加される第２電極９ｎとが設けられている。このため、マイナスのイオン性不純物は、第１電極９ｐにトラップされ、プラスのイオン性不純物は、第２電極９ｎにトラップされる。このため、マイナスのイオン性不純物、およびプラスのイオン性不純物の双方を画素領域１０ａの外側でトラップすることができる。また、第１電極９ｐおよび第２電極９ｎは、画素領域１０ａの外縁の異なる部分に沿って延在しており、並列していない。このため、マイナスのイオン性不純物、およびプラスのイオン性不純物の双方を画素領域１０ａの外側で効率よくトラップすることができる等、実施形態１、２と同様な効果を奏する。
【００４７】
［実施形態４］
図８は、本発明の実施形態４に係る液晶装置１００の説明図であり、図８には、周辺電極９ｅの構成等を示してある。図８に示すように、本実施形態でも、実施形態１と同様、第１基板１５には、周辺電極９ｅとして、画素領域１０ａの外側で画素領域１０ａの外縁に沿って延在する第１電極９ｐと、画素領域１０ａの外側のうち、第１電極９ｐと異なる位置で画素領域１０ａの外縁に沿って延在する第２電極９ｎとが設けられている。第１電極９ｐには、共通電位Ｖcomより高い電位が印加され、第２電極９ｎには、共通電位Ｖcomより低い電位が印加される。
【００４８】
本実施形態でも、実施形態１と同様、画素領域１０ａの第１辺１０ａ１、第２辺１０ａ２、第３辺１０ａ３、および第４辺１０ａ４からなる４つの辺の全てに、第１電極９ｐおよび第２電極９ｎの少なくとも一方が設けられている。また、画素領域１０ａの第１隅部１０ａ６、第２隅部１０ａ７、第３隅部１０ａ８、および第４隅部１０ａ９の全ての隅部の外側から第１電極９ｐおよび第２電極９ｎの少なくとも一方が延在している。
【００４９】
本実施形態において、第１電極９ｐおよび第２電極９ｎは各々、第１隅部１０ａ６、第２隅部１０ａ７、第３隅部１０ａ８、および第４隅部１０ａ９のうち、異なる隅部の外側から延在している。
【００５０】
より具体的には、第１電極９ｐは、第１隅部１０ａ６の外側から第１辺１０ａ１に沿って第１辺１０ａ１の途中位置まで延在し、第１隅部１０ａ６の外側から第３辺１０ａ３に沿って第３辺１０ａ３の途中位置まで延在している。また、第１電極９ｐは、第１隅部１０ａ６に対して第１方向Ｘで隣り合う第３隅部１０ａ８の外側から第１辺１０ａ１に沿って第１辺１０ａ１の途中位置まで延在し、第３隅部１０ａ８の外側から第４辺１０ａ４に沿って第４辺１０ａ４の途中位置まで延在している。これに対して、第２電極９ｎは、第２隅部１０ａ７の外側から第２辺１０ａ２に沿って第２辺１０ａ２の途中位置まで延在し、第２隅部１０ａ７の外側から第４辺１０ａ４に沿って第４辺１０ａ４の途中位置まで延在している。また、第２電極９ｎは、第２隅部１０ａ７に対して第１方向Ｘで隣り合う第４隅部１０ａ９の外側から第２辺１０ａ２に沿って第２辺１０ａ２の途中位置まで延在し、第４隅部１０ａ９の外側から第３辺１０ａ３に沿って第３辺１０ａ３の途中位置まで延在している。
【００５１】
このように本実施形態でも、実施形態１と同様、第１基板１５には、共通電位Ｖcomより高い電位が印加される第１電極９ｐと、共通電位Ｖcomより低い電位が印加される第２電極９ｎとが設けられている。このため、マイナスのイオン性不純物は、第１電極９ｐにトラップされ、プラスのイオン性不純物は、第２電極９ｎにトラップされる。このため、マイナスのイオン性不純物、およびプラスのイオン性不純物の双方を画素領域１０ａの外側でトラップすることができる。また、第１電極９ｐおよび第２電極９ｎは、画素領域１０ａの外縁の異なる部分に沿って延在しており、並列していない。このため、マイナスのイオン性不純物、およびプラスのイオン性不純物の双方を画素領域１０ａの外側で効率よくトラップすることができる等、実施形態１、２と同様な効果を奏する。
【００５２】
［他の実施の形態］
上記実施形態では、画素領域１０ａの４つの隅部のうち、第１隅部１０ａ６と第２隅部１０ａ７とを結ぶ対角線に沿う方向に液晶分子５０ｂが配向していたが、第３隅部１０ａ８と第４隅部１０ａ９とを結ぶ対角線に沿う方向に液晶分子５０ｂを配向させた場合に本発明を適用してもよい。また、第１辺１０ａ１に沿う方向、あるいは第３辺１０ａ３に沿う方向に液晶分子５０ｂを配向させた場合に本発明を適用してもよい。
【００５３】
上記実施の形態では、透過型の液晶装置１００に本発明を適用したが、反射型の液晶装置に本発明を適用してもよい。
【００５４】
［電子機器への搭載例］
上述した実施形態に係る液晶装置１００を用いた電子機器の一例として、投射型表示装置（液晶プロジェクター）を説明する。図９は、透過型の液晶装置を用いた投射型表示装置の説明図である。図９に示す投射型表示装置２１００では、本発明を適用した液晶装置１００と、液晶装置１００に供給される光を出射する光源部と、液晶装置１００によって変調された光を投射する投射光学系とが設けられている。
【００５５】
投射型表示装置２１００には、ハロゲンランプ等の白色光源を有するランプユニット２１０２（光源部）が設けられている。ランプユニット２１０２から射出された投射光は、内部に配置された３枚のミラー２１０６および２枚のダイクロイックミラー２１０８によってＲ（赤）色、Ｇ（緑）色、Ｂ（青）色の３原色に分離される。分離された投射光は、各原色に対応するライトバルブ１００Ｒ、１００Ｇ、１００Ｂにそれぞれ導かれ、変調される。なお、Ｂ色の光は、他のＲ色やＧ色と比較すると光路が長いので、その損失を防ぐために、入射レンズ２１２２、リレーレンズ２１２３および出射レンズ２１２４を有するリレーレンズ系２１２１を介して導かれる。ここで、ライトバルブ１００Ｒ、１００Ｇ、１００Ｂは各々、液晶装置１００に対して入射側で重なる入射側偏光分離素子１１１と、液晶装置１００に対して出射側で重なる出射側偏光分離素子１１２とを有している。
【００５６】
ライトバルブ１００Ｒ、１００Ｇ、１００Ｂによってそれぞれ変調された光は、ダイクロイックプリズム２１１２に３方向から入射する。そして、ダイクロイックプリズム２１１２において、Ｒ色およびＢ色の光は９０度に反射し、Ｇ色の光は透過する。したがって、各原色の画像が合成された後、スクリーン２１２０には、投射レンズ群２１１４（投射光学系）によってカラー画像が投射される。
【００５７】
（他の投射型表示装置）
投射型表示装置については、光源部として、各色の光を出射するＬＥＤ光源等を用い、かかるＬＥＤ光源から出射された色光を各々、別のライトバルブに供給するように構成してもよい。
【００５８】
（他の電子機器）
本発明を適用した液晶装置１００を備えた電子機器は、上記実施形態の投射型表示装置２１００に限定されない。例えば、投射型のＨＵＤ（ヘッドアップディスプレイ）や直視型のＨＭＤ（ヘッドマウントディスプレイ）、パーソナルコンピューター、デジタルスチルカメラ、液晶テレビ等の電子機器に用いてもよい。
【符号の説明】
【００５９】
９ａ…画素電極、９ｅ…周辺電極、９ｅ１…領域、９ｅ２…連結部、９ｎ…第２電極、９ｐ…第１電極、１０…素子基板、１０ａ…画素領域、１０ｂ…外周領域、１０ａ１…第１辺、１０ａ２…第２辺、１０ａ３…第３辺、１０ａ９…第４辺、１０ａ６…第１隅部、１０ａ７…第２隅部、１０ａ８…第３隅部、１０ａ９…第４隅部、１５…第１基板、２０…対向基板、２１…共通電極、２５…第２基板、２９…遮光層、２９ａ…見切り、５０…液晶層、５０ｂ…液晶分子、１００…液晶装置、１００Ｂ、１００Ｇ、１００Ｒ…ライトバルブ、１０７…シール材、２１００…投射型表示装置、２１０２…ランプユニット（光源部）、２１０６…ミラー、２１０８…ダイクロイックミラー、２１１２…ダイクロイックプリズム、２１１４…投射レンズ群（投射光学系）、２１２０…スクリーン、２１２１…リレーレンズ系、２１２２…入射レンズ、２１２３…リレーレンズ、２１２４…出射レンズ。
【図１】
2020064132.tif 000003
【図２】
2020064132.tif 000004
【図３】
2020064132.tif 000005
【図４】
2020064132.tif 000006
【図５】
2020064132.tif 000007
【図６】
2020064132.tif 000008
【図７】
2020064132.tif 000009
【図８】
2020064132.tif 000010
【図９】
2020064132.tif 000011
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
第１基板と、
前記第１基板と対向する第２基板と、
前記第１基板と前記第２基板との間に配置された液晶層と、
第１方向および前記第１方向と交差する第２方向に画素が配列された画素領域と、
前記第１方向に配列される前記画素に沿って前記画素領域の両側に延在し、共通電位より高い電位が印加される第１電極と、
前記第２方向に配列される前記画素に沿って前記画素領域の両側に延在し、前記共通電位より低い電位が印加される第２電極と、
を備えることを特徴とする液晶装置。
【請求項２】
請求項１に記載の液晶装置において、
前記第１電極は、前記第１方向に配列される画素の全体または略全体に沿って延在し、
前記第２電極は、前記第２方向に配列される画素の全体または略全体に沿って延在していることを特徴とする液晶装置。
【請求項３】
第１基板と、
前記第１基板と対向する第２基板と、
前記第１基板と前記第２基板との間に配置された液晶層と、
第１方向および前記第１方向と交差する第２方向に画素が配列された画素領域と、
前記画素領域の外側において、前記第１方向および前記第２方向に沿って延在し、共通電位より高い電位が印加される第１電極と、
前記画素領域の前記第１電極が設けられた側とは反対側において、前記第１方向および前記第２方向に沿って延在し、前記共通電位より低い電位が印加される第２電極と、
を備えることを特徴とする液晶装置。
【請求項４】
請求項３に記載の液晶装置において、
前記第１電極および前記第２電極は、それぞれ前記第１方向に配列される画素、および前記第２方向に配列される画素の全体または略全体に沿って延在していることを特徴とする液晶装置。
【請求項５】
請求項１または３に記載の液晶装置において、
前記画素領域の隅部の外側から前記第１電極および前記第２電極の少なくとも一方が延在していることを特徴とする液晶装置。
【請求項６】
第１基板と、
前記第１基板と対向する第２基板と、
前記第１基板と前記第２基板との間に配置された液晶層と、
第１方向および前記第１方向と交差する第２方向に画素が配列された画素領域と、
前記画素領域の一の隅部の外側に、
前記第１方向に配列される前記画素に沿って延在し、共通電位より高い電位が印加される第１電極と、
前記第２方向に配列される前記画素に沿って延在し、共通電位より低い電位が印加される第２電極と、
を備えることを特徴とする液晶装置。
【請求項７】
請求項５に記載の液晶装置において、
前記第１電極および前記第２電極は、前記画素領域の異なる隅部の外側からそれぞれ延在していることを特徴とする液晶装置。
【請求項８】
請求項７に記載の液晶装置において、
前記第１電極は、前記画素領域の隣り合う隅部の外側から延在し、
前記第２電極は、前記画素領域の他の隣り合う隅部の外側から延在していることを特徴とする液晶装置。
【請求項９】
請求項１から８のいずれか一項に記載の液晶装置を有することを特徴とする電子機器。
【手続補正２】
【補正対象書類名】明細書
【補正対象項目名】０００６
【補正方法】変更
【補正の内容】
【０００６】
上記課題を解決するために、本発明に係る液晶装置の一態様は、第１基板と、前記第１基板と対向する第２基板と、前記第１基板と前記第２基板との間に配置された液晶層と、第１方向および前記第１方向と交差する第２方向に画素が配列された画素領域と、前記第１方向に配列される前記画素に沿って前記画素領域の両側に延在し、共通電位より高い電位が印加される第１電極と、前記第２方向に配列される前記画素に沿って前記画素領域の両側に延在し、前記共通電位より低い電位が印加される第２電極と、を備えることを特徴とする。